(57)【要約】【課題】一体型の屋根体を備えた従来のカーポートは、施工時間が長くなりやすく、また、作業が大掛りになるという問題点があった。【解決手段】少なくとも二本の支柱２と、各支柱２に一端部を連結した梁４と、各梁４の下側に連結した複数の野縁５と、野縁の下側に連結した屋根体３と、両支柱２に架設した桁６を備え、屋根体３が、複数枚のパネルユニットＰＵで構成してあり、各パネルユニットＰＵが、矩形状を成すと共に、桁６に対してその長手方向に沿う軸線回りに回動可能に係止する回動係止部９を有しており、少なくとも垂直姿勢から野縁への連結姿勢に至る範囲で回動可能であるカーポート１としたことで、少ない人員でパネルユニットＰＵを容易に取り付けることができ、施工作業の簡略化や施工時間の短縮化を実現した。【選択図】図１
2010222953.tif 000002
【特許請求の範囲】
【請求項１】
奥行方向に配列した少なくとも二本の支柱と、長手方向を間口方向として各支柱に夫々の一端部を連結した梁と、長手方向を奥行方向として各梁の下側に所定間隔で連結した複数の野縁と、野縁の下側に連結した屋根体と、長手方向を奥行方向として両支柱に架設した桁を備え、
屋根体が、奥行方向に配列した複数枚のパネルユニットで構成してあり、
各パネルユニットが、矩形状を成すと共に、桁側の端部に、桁に対してその長手方向に沿う軸線回りに回動可能に係止する回動係止部を有しており、少なくとも垂直姿勢から野縁への連結姿勢に至る範囲で回動可能であることを特徴とする簡易建物。
【請求項２】
各パネルユニットのうちの少なくとも一枚のパネルユニットの間口方向の長さが短いことを特徴とする請求項１に記載の簡易建物。
【請求項３】
桁に、各パネルユニットの回動係止部を係止した状態にすると共に、各野縁の下側に、各パネルユニットを桁側に下り勾配を成す状態にして連結し、
パネルユニット同士の接合部に、その長手方向にわたって目隠しカバーを下側から装着すると共に、各目隠しカバーの内側に設けた排水路と桁の内側に設けた排水路とで屋根体の排水経路を構成したことを特徴とする請求項１又は２に記載の簡易建物。
【請求項４】
屋根体と屋根体を支持する支持手段を備えた簡易建物の組み立て方法であって、  一方向に配列する複数のパネルユニットで屋根体を構成し、支持手段に対してパネルユニットの一端部を係止し、パネルユニットの他端部を上方に回動させて支持手段に連結し、同様の手順で複数のパネルユニットを支持手段に順次連結することを特徴とする簡易建物の組み立て方法。
【請求項５】
奥行方向に少なくとも二本の支柱を立設し、長手方向を間口方向とした梁の一端部を各支柱に連結し、長手方向を奥行方向とした複数の野縁を各梁の下側に所定間隔で連結し、長手方向を奥行方向とした桁を両支柱に架設し、奥行方向に配列するパネルユニットの一端部を桁に係止し、パネルユニットの他端部を上方に回動させて、パネルユニットを各野縁の下側に連結し、同様の手順で複数のパネルユニットを各野縁の下側に順次連結することを特徴とする簡易建物の組み立て方法。
【請求項６】
パネルユニットの一端部を桁に係止し、パネルユニットの他端部を上方に回動させて野縁に設けたフックに係止して仮置きし、パネルユニットを各野縁の下側に連結することを特徴とする請求項５に記載の簡易建物の組み立て方法。
【発明の詳細な説明】
【技術分野】
【０００１】
本発明は、支柱等により屋根体を支持した構造を有する簡易建物及びその組み立て方法に関するものである。
【背景技術】
【０００２】
この種の簡易建物としては、例えばカーポートがある。
一般的に、住宅等に設置するカーポートとしては、例えば特許文献１に記載されているように、一体型の屋根体の片側を支柱で片持ち支持したものや、屋根体の両側を支柱で支持したものがあり、さらに、屋根体の一方側を支柱で支持すると共に、屋根体の他方側を建物の壁部等で支持したものなどがある。この種のカーポートでは、奥行寸法及び間口寸法の異なる複数種の屋根体を用意し、例えば自動車の大きさなどに応じて屋根体の種類や支持方法を選択するようにしていた。
【先行技術文献】
【特許文献】
【０００３】
【特許文献１】特開２００８−５７２３３号公報
【発明の概要】
【発明が解決しようとする課題】
【０００４】
ところで、上記したような一体型の屋根体を備えたカーポートは、施工方法として、支柱を立設するとともに支柱の上端部に梁を連結し、梁に屋根体の構成部材を順次組み付けて屋根体を形成する方法や、予め組み立てた屋根体を梁に取り付ける方法がある。
【０００５】
しかし、従来のカーポートは、屋根体を順次組み立てる方法では、現場での作業が煩雑で施工時間が長くなりやすく、また、予め組み立てた屋根体を取り付ける方法では、作業が大掛りになるという問題点があり、これらの問題点を解決することが課題であった。
【０００６】
本発明は、上記従来の問題点に着目して成されたもので、少ない人員で容易に施工することができると共に、施工作業の簡略化や施工時間の短縮化を実現することができる簡易建物及びその組み立て方法を提供することを目的としている。
【課題を解決するための手段】
【０００７】
本発明の簡易建物は、請求項１として、奥行方向に配列した少なくとも二本の支柱と、長手方向を間口方向として各支柱に夫々の一端部を連結した梁と、長手方向を奥行方向として各梁の下側に所定間隔で連結した複数の野縁と、野縁の下側に連結した屋根体と、長手方向を奥行方向として両支柱に架設した桁を備え、屋根体が、奥行方向に配列した複数枚のパネルユニットで構成してあり、各パネルユニットが、矩形状を成すと共に、桁側の端部に、桁に対してその長手方向に沿う軸線回りに回動可能に係止する回動係止部を有しており、少なくとも垂直姿勢から野縁への連結姿勢に至る範囲で回動可能である構成としており、上記構成をもって従来の課題を解決するための手段としている。
【０００８】
なお、上記構成において、簡易建物がカーポートである場合、奥行方向とは自動車が出入りする方向であり、間口方向とは出入り口の幅方向である。
【０００９】
また、本発明の簡易建物は、請求項２として、各パネルユニットのうちの少なくとも一枚のパネルユニットの間口方向の長さが短いことを特徴としている。
【００１０】
さらに、本発明の簡易建物は、請求項３として、桁に、各パネルユニットの回動係止部を係止した状態にすると共に、各野縁の下側に、各パネルユニットを桁側に下り勾配を成す状態にして連結し、パネルユニット同士の接合部に、その長手方向にわたって目隠しカバーを下側から装着すると共に、各目隠しカバーの内側に設けた排水路と桁の内側に設けた排水路とで屋根体の排水経路を構成したことを特徴としている。
【００１１】
本発明の簡易建物の組み立て方法は、請求項４として、屋根体と屋根体を支持する支持手段を備えた簡易建物の組み立て方法であって、  一方向に配列する複数のパネルユニットで屋根体を構成し、支持手段に対してパネルユニットの一端部を係止し、パネルユニットの他端部を上方に回動させて支持手段に連結し、同様の手順で複数のパネルユニットを支持手段に順次連結することを特徴としている。
【００１２】
また、本発明の簡易建物の組み立て方法は、請求項５として、奥行方向に少なくとも二本の支柱を立設し、長手方向を間口方向とした梁の一端部を各支柱に連結し、長手方向を奥行方向とした複数の野縁を各梁の下側に所定間隔で連結し、長手方向を奥行方向とした桁を両支柱に架設し、奥行方向に配列するパネルユニットの一端部を桁に係止し、パネルユニットの他端部を上方に回動させて、パネルユニットを各野縁の下側に連結し、同様の手順で複数のパネルユニットを各野縁の下側に順次連結することを特徴としている。
【００１３】
さらに、本発明の簡易建物の組み立て方法は、請求項６として、パネルユニットの一端部を桁に係止し、パネルユニットの他端部を上方に回動させて野縁に設けたフックに係止して仮置きし、パネルユニットを各野縁の下側に連結することを特徴としている。
【発明の効果】
【００１４】
本発明の請求項１に係わる簡易建物によれば、屋根体を複数枚のパネルユニットで構成し、桁に対してパネルユニットを回動可能に係止する構成を採用したことで、少ない人員でパネルユニットを容易に取り付けることができ、施工作業の簡略化や施工時間の短縮化を実現することができる。
【００１５】
本発明の請求項２に係わる簡易建物によれば、請求項１と同等の効果を得ることができるうえに、奥行方向におけるパネルユニットの枚数を選択することや、間口方向におけるパネルユニットの長さを選択することが可能になるので、土地の形状や周囲の環境などに合わせて屋根体の形態を自由に設定することができ、バリエーションの増加を実現することができる。
【００１６】
本発明の請求項３に係わる簡易建物によれば、請求項１及び２と同等の効果を得ることができるうえに、屋根体上に降った雨水やパネルユニット同士の間に浸入した雨水を集中的に排出することができ、複数枚のパネルユニットから成る屋根体でありながら雨漏りを確実に阻止して、雨水に対する充分な排水機能を得ることができる。
【００１７】
本発明の請求項４及び５に係わる簡易建物の組み立て方法によれば、少ない人員で容易に組み立てることが可能であって、施工作業の簡略化や施工時間の短縮化を実現することができ、また、隣接地に足場などを設置する必要がなく、組み立て作業の殆どを屋根体の大きさの範囲内で行うことができ、狭小地での施工に極めて有用である。
【００１８】
本発明の請求項６に係わる簡易建物の組み立て方法によれば、野縁に設けたフックを利用することで、野縁に対するパネルユニットの連結作業が一層容易になり、一人の作業者であってもパネルユニット及び屋根体の取り付けが充分に可能であり、施工費用や施工時間のさらなる節減に貢献することができる。
【図面の簡単な説明】
【００１９】
【図１】本発明に係わる簡易建物の一実施形態におけるカーポートを説明する斜視図（ａ）及びパネルユニットの取り付け要領を示す要部の断面図（ｂ）である。
【図２】屋根体を構成するパネルユニットの平面図（ａ）、図ａ中のＡ−Ａ線に基づく断面図（ｂ）、及び図ａ中のＢ−Ｂ線に基づく断面図（ｃ）である。
【図３】支柱と梁の連結部分を拡大した断面図である。
【図４】パネルユニット同士の接合部を示す断面図である。
【図５】パネルユニットの先端部を示す断面図である。
【図６】図１に示すカーポートの組み立て方法を示す各々斜視図（ａ）〜（ｄ）である。
【図７】野縁に対するパネルユニットの取り付け要領を示す各々斜視図（ａ）〜（ｃ）である。
【発明を実施するための形態】
【００２０】
図１（ａ）に示す簡易建物は、一例としてのカーポートである。
図示のカーポート１は、少なくとも二本の支柱２，２により、屋根体３を片持ち支持した構造になっている。より具体的には、カーポート１は、奥行方向に配列した二本の支柱２，２と、長手方向を間口方向として各支柱２に夫々の一端部を連結した梁４と、長手方向を奥行方向として各梁４の下側に所定間隔で連結した複数の野縁５と、長手方向を奥行方向として両支柱２に架設した桁６を備えており、野縁５の下側に屋根体３を連結する。
【００２１】
屋根体３は、奥行方向に配列した複数枚のパネルユニットＰＵで構成してある。各パネルユニットＰＵは、間口方向に細長い矩形状を成している。なお、カーポート１の奥行方向とは、自動車の出入り方向（図中Ｘ方向）であり、間口方向とは、出入り口の幅方向（図中Ｙ方向）である。
【００２２】
さらに、カーポート１は、より好ましい実施形態として、各パネルユニットＰＵのうちの少なくとも一枚のパネルユニットＰＵの間口方向の長さを短い構成にすることができる。図示例では、複数枚のパネルユニットＰＵのうちの半分以上のパネルユニットＰＵが短くなっている。このようなパネルユニットＰＵの組み合わせは、土地の形状や周囲の環境などに応じて選択する。
【００２３】
パネルユニットＰＵは、図２（ａ）に示すように、矩形状のパネルＰと、その周囲を保持する四本のパネル枠を備えている。ここで、当該カーポート１では、屋根体３が支柱側２側に緩やかな下り勾配を成しているので、勾配の上位側のパネル枠を上部パネル枠７Ａとし、勾配の下位側（桁６側）のパネル枠を下部パネル枠７Ｂとし、両側のパネル枠を側部パネル枠７Ｃ，７Ｃとしている。
【００２４】
上部パネル枠７Ａは、図２（ｃ）に断面を示すように、当該パネルユニットＰＵの切断に伴う着脱作業に容易に対処するために、非常に簡素なものになっていて、パネルＰの下面を受ける状態にして、側部パネル枠７Ｃ，７Ｃの上位側の端部にねじ止めする。
【００２５】
下部パネル枠７Ｂは、同じく図２（ｃ）に断面を示すように、下方向（カーポートを構成した状態で下方向）に突出する支持片８を介して断面円形の回動係止部９を備え、側部パネル枠７Ｃ，７Ｃの下位側の端部にねじ止めする。支持片８及び回動係止部９は、下部パネル枠７Ｂの長手方向にわたって設けてある。
【００２６】
側部パネル枠７Ｃは、図２（ｂ）に断面を示すように、パネルＰの側端部を保持するシール材１０と、下方向に突出した一対の係合突片１１，１１を並列に備えている。両側の側部パネル枠７Ｃは、同じ断面構造を有しており、パネルユニット断面においてシール材１０及び係合突片１１，１１が対称位置に現われる。
【００２７】
そして、パネルユニットＰＵは、間口方向の長さを短くするには、パネルＰ及び側部パネル枠７Ｃを所定長さに切断してから、パネルＰ及び各パネル枠７Ａ〜７Ｃを組み立てれば良く、共通の部品を使用することができる。
【００２８】
各野縁５は、梁４の長手方向に対して、所定間隔で互いに平行に配置してあり、夫々の吊り材１２を介して梁４の下側に連結してある。また、当該カーポート１では、梁４がほぼ水平であるのに対して、先述の如く屋根体３が支柱２側に下り勾配を成しているので、梁４の基端側（支柱２側）から先端側に向けて、吊り材１２の長さが次第に短くなっている。
【００２９】
桁６は、図３に示すように、支柱２にブラケット１３を介して固定してあって、その内側には、図１（ｂ）にも示すように、上方に開放した溝状の排水路６ａと、排水路６ａの反支柱側に連続する空洞部６ｂを有し、さらに、空洞部６ｂの上部に、パネルユニットＰＵの下部パネル枠７Ｂの回動係止部９に対応する回動受け部６ｃを有している。
【００３０】
これにより、回動係止部９を有するパネルユニットＰＵは、桁６の回動受け部６ｃに対して、桁６の長手方向に沿う軸線回りに回動可能に係止することとなり、少なくとも垂直姿勢から野縁５への連結姿勢に至る範囲で回動可能である
【００３１】
すなわち、パネルユニットＰＵは、当該カーポート１を組み立る際には、図１（ｂ）中に実線で示すように、桁６の回動受け部６ｃに回動係止部９を係止した状態にし、次いで、下端部を持ち上げて、図１（ｂ）中に仮想線で示すように水平状態にする。その後、パネルユニットＰＵは、側部パネル枠７Ｃを下方から貫通するねじによって各野縁５の下側に固定する。
【００３２】
また、上記の如く各パネルユニットＰＵを固定した後には、図４に示すように、パネルユニット同士の接合部に、その長手方向にわたって、隣接する両方の側部パネル枠７Ｃ，７Ｃに跨る目隠しカバー１４を下側から装着する。
【００３３】
目隠しカバー１４は、両方の側部パネル枠７Ｃ，７Ｃの下側全体を覆う形状を成すと共に、その内側に、いずれか一方の側部パネル枠７Ｃの係合突片１１，１１に弾性的に係合する係止突片１４ａ，１４ａと、両方の側部パネル枠７Ｃ，７Ｃの間に浸入した水を排出するための排水路１４ｂを有している。係止突片１４ａ及び排水路１４ｂは、目隠しカバー１４の長手方向にわたって設けてあり、とくに排水路１４ｂは、桁６側の端部で開放してある。
【００３４】
これにより、当該カーポート１では、目隠しカバー１４の内側に設けた排水路１４ｂと桁６の内側に設けた排水路６ａとで屋根体３の排水経路を構成している。
【００３５】
また、屋根体３の奥行方向の端部においては、図４に示すように、パネルユニットＰＵの側部パネル枠７Ｃに対して、下側から端部用目隠しカバー１５を装着すると共に、横側から側部屋根枠１６を被着して外観体裁を良好なものにしている。この側部屋根枠１６は、長さが異なるパネルユニットＰＵ同士の段差部分にも設けてある。
【００３６】
さらに、屋根体３の勾配の上位側の端部においては、図５に示すように、上部屋根枠１７を被着して外観体裁を良好なものにしている。なお、側部屋根枠１６と上部屋根枠１７との間には、図示しないコーナー部材を設けて各屋根枠１６，１７を一体化することにより、外観体裁や機械的強度を高めている。
【００３７】
ここで、図６及び図７に基づいて、カーポート（簡易建物）１の組み立て方法を説明する。本発明の組み立て方法は、基本的には、屋根体と屋根体を支持する支持手段を備えた簡易建物の組み立て方法であって、一方向（奥行方向）に配列するパネルユニットＰＵで屋根体３を構成し、屋根体３の支持手段に対してパネルユニットＰＵの一端部を係止し、パネルユニットＰＵの他端部を上方に回動させて支持手段に連結し、同様の手順で複数のパネルユニットＰＵを支持手段に順次連結する。この実施形態における屋根体３の支持手段は、支柱２、梁４、野縁５、桁６及び吊り材１２で構成してある。
【００３８】
具体的には、まず、図６（ａ）に示すように、支柱２，２を立設すると共に、各支柱２に梁４の一端部を連結し、さらに、各吊り材１２の下端部に野縁５を連結してから、各吊り材１２の上端部を梁４の下側に連結する。また、両支柱２，２に桁６を架設する。
【００３９】
次に、図６（ｂ）に示すように、各パネルユニットＰＵを組み立てる。すなわちパネルＰ及び側部パネル枠７Ｃ，Ｃの長さ調整をして、パネルＰ及び各パネル枠７Ａ〜７Ｃを組み立てる。そして、パネルユニットＰＵの一端部を桁６に係止し、パネルユニットＰＵの他端部を上方に回動させて、同パネルユニットＰＵを各野縁５の下側に連結し、同様の手順で各パネルユニットＰＵを各野縁５の下側に順次連結する。具体的には、図６（ｃ）及び先に説明した図１（ｂ）に示すように、桁６の回動受け部６ｃにパネルユニットＰＵの回動係止部９を係止し、パネルユニットＰＵの下端部を持ち上げて回動させて、同パネルユニットＰＵを野縁５の下面に連結する。このような一端部の係止、他端部の回動、及び野縁５への連結の手順で各パネルユニットＰＵを各野縁５の下側に順次連結する。
【００４０】
上記のパネルユニットＰＵの連結作業では、図７（ａ）（ｂ）に示すようなフックＨの使用がより効果的である。つまり、パネルユニットＰＵの取り付けに際して、図７（ａ）に示すように、梁４の張り出し先端側の野縁５に一対のフックＨ，Ｈを係止しておき、次いで、図７（ｂ）に示すように、桁６に係止してから上方に回動させたパネルユニットＰＵをフックＨ，Ｈに係止する。
【００４１】
そして、図７（ｃ）に示すように、パネルユニットＰＵの側部パネル枠７Ｃに貫通させたねじ２０で同パネルユニットＰＵを野縁５に連結する。その後、フックＨを取り外す。この際、梁４の張り出し先端側の野縁５においては、予めボルトを植設し、このボルトでパネルユニットＰＵを位置決めしてからナットで固定するようにしても良い。なお、この実施形態では、野縁５と別体のフックＨを例示したが、野縁５にフックに相当するものが形成してあっても良い。
【００４２】
上記の要領で各パネルユニットＰＵを連結して屋根体３を構成した後には、図６（ｄ）及び先に説明した図４及び図５に示すように、目隠しカバー１４、端部用目隠しカバー１５、側部屋根枠１６及び上部屋根枠１７を装着する。
【００４３】
上記実施形態のカーポート１は、少なくとも二本の支柱２、複数のパネルユニットＰＵから成る屋根体３、梁４、野縁５及び桁６等で構成し、各パネルユニットＰＵが、桁６に対してその長手方向に沿う軸線回りに回動可能に係止する構成になっているので、少ない人員でパネルユニットＰＵの取り付けを容易に行うことができる。
【００４４】
すなわち、上記のカーポート１及びその組み立て方法では、パネルユニットＰＵの一端部に設けた回動係止部９を桁６に係止した後、パネルユニットＰＵの他端部側を持ち上げて、同パネルユニットＰＵを野縁５の下側に連結することとなり、予め組み立てたパネルユニットＰＵを同じ要領で順に取り付ければ良いので、一体型の屋根体を備えた従来のカーポートと比較して、施工作業の簡略化や施工時間の短縮化を実現することができる。
【００４５】
また、上記カーポート１は、奥行方向に配列した複数枚のパネルユニットＰＵで屋根体３を構成すると共に、各パネルユニットＰＵのうちの少なくとも一枚のパネルユニットＰＵの間口方向の長さが短いものであるから、駐車スペースの形状、建築物や樹木などの周囲の環境、駐車及びそれ以外の使用目的などに応じて、屋根体３の形態を自由に設定することができる。
【００４６】
つまり、カーポート１は、奥行方向にはパネルユニットＰＵの枚数を選択し、間口方向にはパネルユニットＰＵの長さを選択することで、屋根体３の形態を自在に設定することができ、バリエーションに非常に富んだものとなる。
【００４７】
さらに、カーポート１は、屋根体３を桁６側に下り傾斜させ、パネルユニットＰＵ同士の接合部に装着した目隠しカバー１４の排水路１４ｂと桁６の排水路６ａとで排水経路を構成したので、屋根体３上に降った雨水やパネルユニットＰＵ同士の間に浸入した雨水を集中的に排出することができ、複数枚のパネルユニットＰＵから成る屋根体３でありながら雨漏りを確実に阻止して、雨水の充分な排水機能を得ることができる。なお、桁６の排水路６ａに流入した雨水は、周知の竪樋を通して地面側に排出する。
【００４８】
さらに、上記実施形態のカーポート１は、複数のパネルユニットＰＵから成る屋根体３に加えて、少なくとも二本の支柱２、梁４、野縁５及び桁６等で構成し、とくに組み立て方法においては、各パネルユニットＰＵの取り付けを先述の如く工夫したことで、組み立て作業の殆どを屋根体の大きさの範囲内で行うことができ、狭小地での施工に極めて有用なものとなる。つまり、必要に応じて脚立等を使用して、野縁５に対して各パネルユニットＰＵを下方から取り付けるので、隣接地に足場などを設置する必要がなく、周囲に迷惑をかける心配が無い。また、パネルユニットＰＵの取り付けに際して、野縁５に係止するフックＨを用いれば、一人の作業者であってもパネルユニットＰＵを容易に取り付けること充分に可能であり、施工費用や施工時間のさらなる節減に貢献することができる。
【００４９】
なお、本発明の簡易建物は、その構成が上記実施形態のみに限定されるものではなく、各構成部材の数や形状、及び屋根体の支持手段の構成等を適宜変更することができる。また、簡易建物は、上記実施形態のように屋根体を片持ち支持する構造だけではなく、屋根体を両側を支柱で支持する構造や、屋根体の一方側を支柱で支持し且つ他方側を建築物の壁部等で支持する構造であっても良い。
【００５０】
さらに、上記実施形態の簡易建物では、間口方向の長さが異なる二種類のパネルユニットを例示したが、全てのパネルユニットの長さを同じにしたり、パネルユニットの長さを二種類以上にしたりすることができる。さらに、当該簡易建物は、屋根体の下側を駐車以外の目的で使用することも当然可能であるから、サイクルポートや通路などの各種建物に適用することが可能である。
【符号の説明】
【００５１】
１      カーポート（簡易建物）
２      支柱
３      屋根体
４      梁
５      野縁
６      桁
６ａ    桁の排水路
９      回動係止部
１２    吊り材
１４    目隠しカバー
１４ｂ  目隠しカバーの排水路
ＰＵ    パネルユニット
（２，４，５，６，１２…支持手段）
【図１】
2010222953.tif 000003
【図２】
2010222953.tif 000004
【図３】
2010222953.tif 000005
【図４】
2010222953.tif 000006
【図５】
2010222953.tif 000007
【図６】
2010222953.tif 000008
【図７】
2010222953.tif 000009